(57)【特許請求の範囲】
【請求項１】
利用者が加入契約している第１事業者が提供する第１ネットワーク及び第１事業者がローミング提携している第２事業者が提供する第２ネットワークを介して通信可能な携帯端末と、第２ネットワークを介して通信するサーバであって、
記憶部と、
第１ネットワークを使用するための第１識別情報が記憶された第１記憶媒体が挿入された携帯端末から、前記第１識別情報と、第２ネットワークを使用するための第２識別情報が記憶された第２記憶媒体の登録コードとを、第２ネットワークを介して受信する第１受信部と、
前記第１受信部が受信した前記第１識別情報と前記登録コードとを関連付けて前記記憶部に記憶することにより、第２記憶媒体が挿入された携帯端末による第２ネットワークの使用を許可するための仮登録を行う仮登録部と、
第２記憶媒体が挿入された携帯端末から、前記第２識別情報と、第２記憶媒体の登録コードとを、第２ネットワークを介して受信する第２受信部と、
前記第２受信部が受信した登録コードと前記記憶部に記憶された登録コードとが一致するか否かを判定し、一致した場合に第２記憶媒体が挿入された携帯端末による第２ネットワークの使用を許可するための登録を行う登録部と、
を有することを特徴とするサーバ。
【請求項２】
第１記憶媒体は、第１事業者により提供されたＳＩＭカードであり、
第２記憶媒体は、第２事業者により提供されたＳＩＭカードである、請求項１に記載のサーバ。
【請求項３】
前記第１識別情報は、第１記憶媒体に割り当てられたＩＭＳＩであり、
前記第２識別情報は、第２記憶媒体に割り当てられたＩＭＳＩである、請求項１または２に記載のサーバ。
【請求項４】
前記仮登録部は、前記第１識別情報と前記登録コードとを前記記憶部に記憶してから所定時間以内に、前記第２受信部が、前記記憶部に記憶された登録コードと一致する登録コードを受信しなかった場合、前記記憶部から前記第１識別情報及び前記登録コードを削除する、請求項１〜３の何れか一項に記載のサーバ。
【請求項５】
前記記憶部には、第２事業者が提供する第２記憶媒体の登録コードが予め登録され、
前記仮登録部は、前記第１受信部が、前記第１識別情報とともに、前記記憶部に登録されていない登録コードを所定回数以上受信した場合、前記第１識別情報を用いた以降の仮登録を制限する、請求項１〜４の何れか一項に記載のサーバ。
【請求項６】
前記記憶部には、第２事業者が提供する第２記憶媒体の登録コードと関連付けて、第２ネットワークを使用するための第２識別情報が予め登録され、
前記登録部は、前記第２受信部が、前記登録コードとともに、当該登録コードと関連付けて前記記憶部に登録されていない第２識別情報を第２所定回数以上受信した場合、前記第２識別情報を用いた以降の登録を制限する、請求項１〜５の何れか一項に記載のサーバ。
【請求項７】
記憶部を有し、利用者が加入契約している第１事業者が提供する第１ネットワーク及び第１事業者がローミング提携している第２事業者が提供する第２ネットワークを介して通信可能な携帯端末と、第２ネットワークを介して通信するサーバの制御方法であって、
第１ネットワークを使用するための第１識別情報が記憶された第１記憶媒体が挿入された携帯端末から、前記第１識別情報と、第２ネットワークを使用するための第２識別情報が記憶された第２記憶媒体の登録コードとを、第２ネットワークを介して受信し、
前記受信した前記第１識別情報と前記登録コードとを関連付けて前記記憶部に記憶することにより、第２記憶媒体が挿入された携帯端末による第２ネットワークの使用を許可するための仮登録を行い、
第２記憶媒体が挿入された携帯端末から、前記第２識別情報と、第２記憶媒体の登録コードとを、第２ネットワークを介して受信し、
第２記憶媒体が挿入された携帯端末から受信した前記登録コードと前記記憶部に記憶された登録コードとが一致するか否かを判定し、一致した場合に第２記憶媒体が挿入された携帯端末による第２ネットワークの使用を許可するための登録を行う、
ことを含むことを特徴とする制御方法。
【請求項８】
記憶部を有し、利用者が加入契約している第１事業者が提供する第１ネットワーク及び第１事業者がローミング提携している第２事業者が提供する第２ネットワークを介して通信可能な携帯端末と、第２ネットワークを介して通信するサーバの制御プログラムであって、
第１ネットワークを使用するための第１識別情報が記憶された第１記憶媒体が挿入された携帯端末から、前記第１識別情報と、第２ネットワークを使用するための第２識別情報が記憶された第２記憶媒体の登録コードとを、第２ネットワークを介して受信し、
前記受信した前記第１識別情報と前記登録コードとを関連付けて前記記憶部に記憶することにより、第２記憶媒体が挿入された携帯端末による第２ネットワークの使用を許可するための仮登録を行い、
第２記憶媒体が挿入された携帯端末から、前記第２識別情報と、第２記憶媒体の登録コードとを、第２ネットワークを介して受信し、
第２記憶媒体が挿入された携帯端末から受信した前記登録コードと前記記憶部に記憶された登録コードとが一致するか否かを判定し、一致した場合に第２記憶媒体が挿入された携帯端末による第２ネットワークの使用を許可するための登録を行う、
ことを前記サーバに実行させることを特徴とする制御プログラム。
【請求項９】
利用者が加入契約している第１事業者が提供する第１ネットワーク及び第１事業者がローミング提携している第２事業者が提供する第２ネットワークを介して通信可能な携帯端末と、前記携帯端末と第２ネットワークを介して通信するサーバとを有する通信システムであって、
前記携帯端末が、
記憶媒体を装着する装着部と、
第１ネットワークを使用するための第１識別情報が記憶された第１記憶媒体が前記装着部に挿入された状態で、前記第１識別情報と、第２ネットワークを使用するための第２識別情報が記憶された第２記憶媒体の登録コードとを、第２ネットワークを介して前記サーバに送信する第１送信部と、
第２記憶媒体が前記装着部に挿入された状態で、前記第２識別情報と、第２記憶媒体の登録コードとを、第２ネットワークを介して前記サーバに送信する第２送信部と、を有し、
前記サーバが、
記憶部と、
第１記憶媒体が挿入された前記携帯端末から、前記第１識別情報と、第２記憶媒体の登録コードとを、第２ネットワークを介して受信する第１受信部と、
前記第１受信部が受信した前記第１識別情報と前記登録コードとを関連付けて前記記憶部に記憶することにより、第２記憶媒体が挿入された携帯端末による第２ネットワークの使用を許可するための仮登録を行う仮登録部と、
第２記憶媒体が挿入された前記携帯端末から、前記第２識別情報と、第２記憶媒体の登録コードとを、第２ネットワークを介して受信する第２受信部と、
前記第２受信部が受信した登録コードと前記記憶部に記憶された登録コードとが一致するか否かを判定し、一致した場合に第２記憶媒体が挿入された前記携帯端末による第２ネットワークの使用を許可するための登録を行う登録部と、
を有することを特徴とする通信システム。
【発明の詳細な説明】
【技術分野】
【０００１】
本発明は、国際ローミングによる通信サービスを提供するサーバ、制御方法、制御プログラム及び通信システムに関する。
【背景技術】
【０００２】
近年、携帯電話システムにおいて、利用者が加入契約している通信事業者と提携している外国の通信事業者の設備を利用して、特定のサービスを受けられるようにする国際ローミングサービスが提供されている。
【０００３】
特許文献１には、端末装置のサービス要求に応じて、ローミング先の網に構築されたサービス提供サーバが端末装置にサービスを提供するサービス提供管理システムが開示されている。
【先行技術文献】
【特許文献】
【０００４】
【特許文献１】特開２０１２−１０９７０９号公報
【発明の概要】
【発明が解決しようとする課題】
【０００５】
一般に、国外の利用者が、加入契約している国外の通信事業者と提携している日本国内の通信事業者の設備を利用して国際ローミングサービスを受ける場合、加入契約している国外の通信事業者の料金設定に従って料金が決定される。この場合、加入契約している国外の通信事業者は、国内の通信事業者に対して設備の利用料金を支払う必要があるため、決定される料金は高額になる傾向にある。
【０００６】
一方、国外の利用者が使用する携帯端末に、国内の通信事業者が提供するＳＩＭ（Subscriber Identity Module）カード等の記憶媒体を挿入して、国内の通信事業者の設備を利用可能にするサービスも提供されている。しかしながら、各通信事業者は、国外の利用者に特定のサービスを提供する場合、不測の事態が発生した場合に備えて、その利用者の連絡先等、利用者に関する情報を取得しておく必要がある。そのため、このようなサービスを利用する場合、利用者は、国内の通信事業者が営業する店舗に訪れ、連絡先等の情報を店員に通知した上でＳＩＭカードを購入する必要があった。特に、海外からの旅行者にとって、通信事業者が営業する店舗に訪れてＳＩＭカードを購入することは、手間のかかる作業であり、利用者の利便性を低減させていた。
【０００７】
本発明は、このような従来の課題を解決すべくなされたものであり、国外の利用者の利便性を低減させることなく、国外の利用者に、国内の事業者が提供する記憶媒体を用いて、国内の事業者が提供するネットワークを使用させることを可能とするサーバ、制御方法、制御プログラム及び通信システムを提供することを目的とする。
【課題を解決するための手段】
【０００８】
本発明に係るサーバは、利用者が加入契約している第１事業者が提供する第１ネットワーク及び第１事業者がローミング提携している第２事業者が提供する第２ネットワークを介して通信可能な携帯端末と、第２ネットワークを介して通信するサーバであって、記憶部と、第１ネットワークを使用するための第１識別情報が記憶された第１記憶媒体が挿入された携帯端末から、第１識別情報と、第２ネットワークを使用するための第２識別情報が記憶された第２記憶媒体の登録コードとを、第２ネットワークを介して受信する第１受信部と、第１受信部が受信した第１識別情報と登録コードとを関連付けて記憶部に記憶することにより、第２記憶媒体が挿入された携帯端末による第２ネットワークの使用を許可するための仮登録を行う仮登録部と、第２記憶媒体が挿入された携帯端末から、第２識別情報と、第２記憶媒体の登録コードとを、第２ネットワークを介して受信する第２受信部と、第２受信部が受信した登録コードと記憶部に記憶された登録コードとが一致するか否かを判定し、一致した場合に第２記憶媒体が挿入された携帯端末による第２ネットワークの使用を許可するための登録を行う登録部と、を有する。
【０００９】
また、本発明に係るサーバにおいて、第１記憶媒体は、第１事業者により提供されたＳＩＭカードであり、第２記憶媒体は、第２事業者により提供されたＳＩＭカードであることが好ましい。
【００１０】
また、本発明に係るサーバにおいて、第１識別情報は、第１記憶媒体に割り当てられたＩＭＳＩ（International Mobile Subscriber Identity）であり、第２識別情報は、第２記憶媒体に割り当てられたＩＭＳＩであることが好ましい。
【００１１】
また、本発明に係るサーバにおいて、仮登録部は、第１識別情報と登録コードとを記憶部に記憶してから所定時間以内に、第２受信部が、記憶部に記憶された登録コードと一致する登録コードを受信しなかった場合、記憶部から第１識別情報及び登録コードを削除することが好ましい。
【００１２】
また、本発明に係るサーバにおいて、記憶部には、第２事業者が提供する第２記憶媒体の登録コードが予め登録され、仮登録部は、第１受信部が、第１識別情報とともに、記憶部に登録されていない登録コードを所定回数以上受信した場合、第１識別情報を用いた以降の仮登録を制限することが好ましい。
【００１３】
また、本発明に係るサーバにおいて、記憶部には、第２事業者が提供する第２記憶媒体の登録コードと関連付けて、第２ネットワークを使用するための第２識別情報が予め登録され、登録部は、第２受信部が、登録コードとともに、当該登録コードと関連付けて記憶部に登録されていない第２識別情報を第２所定回数以上受信した場合、第２識別情報を用いた以降の登録を制限することが好ましい。
【００１４】
本発明に係る制御方法は、記憶部を有し、利用者が加入契約している第１事業者が提供する第１ネットワーク及び第１事業者がローミング提携している第２事業者が提供する第２ネットワークを介して通信可能な携帯端末と、第２ネットワークを介して通信するサーバの制御方法であって、第１ネットワークを使用するための第１識別情報が記憶された第１記憶媒体が挿入された携帯端末から、第１識別情報と、第２ネットワークを使用するための第２識別情報が記憶された第２記憶媒体の登録コードとを、第２ネットワークを介して受信し、受信した第１識別情報と登録コードとを関連付けて記憶部に記憶することにより、第２記憶媒体が挿入された携帯端末による第２ネットワークの使用を許可するための仮登録を行い、第２記憶媒体が挿入された携帯端末から、第２識別情報と、第２記憶媒体の登録コードとを、第２ネットワークを介して受信し、第２記憶媒体が挿入された携帯端末から受信した登録コードと記憶部に記憶された登録コードとが一致するか否かを判定し、一致した場合に第２記憶媒体が挿入された携帯端末による第２ネットワークの使用を許可するための登録を行うことを含む。
【００１５】
本発明に係る制御プログラムは、記憶部を有し、利用者が加入契約している第１事業者が提供する第１ネットワーク及び第１事業者がローミング提携している第２事業者が提供する第２ネットワークを介して通信可能な携帯端末と、第２ネットワークを介して通信するサーバの制御プログラムであって、第１ネットワークを使用するための第１識別情報が記憶された第１記憶媒体が挿入された携帯端末から、第１識別情報と、第２ネットワークを使用するための第２識別情報が記憶された第２記憶媒体の登録コードとを、第２ネットワークを介して受信し、受信した第１識別情報と登録コードとを関連付けて記憶部に記憶することにより、第２記憶媒体が挿入された携帯端末による第２ネットワークの使用を許可するための仮登録を行い、第２記憶媒体が挿入された携帯端末から、第２識別情報と、第２記憶媒体の登録コードとを、第２ネットワークを介して受信し、第２記憶媒体が挿入された携帯端末から受信した登録コードと記憶部に記憶された登録コードとが一致するか否かを判定し、一致した場合に第２記憶媒体が挿入された携帯端末による第２ネットワークの使用を許可するための登録を行うことをサーバに実行させる。
【００１６】
本発明に係る通信システムは、利用者が加入契約している第１事業者が提供する第１ネットワーク及び第１事業者がローミング提携している第２事業者が提供する第２ネットワークを介して通信可能な携帯端末と、携帯端末と第２ネットワークを介して通信するサーバとを有する通信システムであって、携帯端末が、記憶媒体を装着する装着部と、第１ネットワークを使用するための第１識別情報が記憶された第１記憶媒体が装着部に挿入された状態で、第１識別情報と、第２ネットワークを使用するための第２識別情報が記憶された第２記憶媒体の登録コードとを、第２ネットワークを介してサーバに送信する第１送信部と、第２記憶媒体が装着部に挿入された状態で、第２識別情報と、第２記憶媒体の登録コードとを、第２ネットワークを介してサーバに送信する第２送信部と、を有し、サーバが、記憶部と、第１記憶媒体が挿入された携帯端末から、第１識別情報と、第２記憶媒体の登録コードとを、第２ネットワークを介して受信する第１受信部と、第１受信部が受信した第１識別情報と登録コードとを関連付けて記憶部に記憶することにより、第２記憶媒体が挿入された携帯端末による第２ネットワークの使用を許可するための仮登録を行う仮登録部と、第２記憶媒体が挿入された携帯端末から、第２識別情報と、第２記憶媒体の登録コードとを、第２ネットワークを介して受信する第２受信部と、第２受信部が受信した登録コードと記憶部に記憶された登録コードとが一致するか否かを判定し、一致した場合に第２記憶媒体が挿入された携帯端末による第２ネットワークの使用を許可するための登録を行う登録部と、を有する。
【発明の効果】
【００１７】
本発明に係るサーバ、制御方法、制御プログラム及び通信システムは、国外の利用者の利便性を低減させることなく、国外の利用者に、国内の事業者が提供する記憶媒体を用いて、国内の事業者が提供するネットワークを使用させることが可能となる。
【図面の簡単な説明】
【００１８】
【図１】通信システム１による処理の一例を説明するための模式図である。
【図２】通信システム１の概略構成の一例を示す図である。
【図３】携帯端末２の概略構成の一例を示す図である。
【図４】サーバ３の概略構成の一例を示す図である。
【図５】（ａ）はＳＩＭカードテーブルのデータ構造の一例を示す図であり、（ｂ）は状態管理テーブルのデータ構造の一例を示す図である。
【図６】通信システム１による使用許可処理に係る動作シーケンスの一例を示す。
【図７】仮登録処理の動作の例を示すフローチャートである。
【図８】登録処理の動作の例を示すフローチャートである。
【発明を実施するための形態】
【００１９】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２０】
図１は、通信システム１による処理の一例を説明するための模式図である。
【００２１】
通信システム１は、携帯端末２及びサーバ３等を有する。携帯端末２は、国外の通信事業者と加入契約している国外の利用者により使用され、主にその国外の通信事業者が提供する国外のネットワークを介して通信する携帯電話である。その国外の通信事業者は、国内の通信事業者とローミング提携しており、携帯端末２は、さらに、国内において、その国内の通信事業者が提供する国内のネットワークを介して通信可能である。サーバ３は、国内の通信事業者が提供するサーバであり、国内の通信事業者が提供する国内のネットワークを介して携帯端末２と通信可能に接続される。
【００２２】
携帯端末２には、通常、利用者が加入契約している国外の通信事業者により提供された国外用ＳＩＭカード２０１が挿入されている。また、携帯端末２の利用者は、国内の通信事業者により提供された国内用ＳＩＭカード２０２を事前に取得している。国外の通信事業者により提供された国外用ＳＩＭカード２０１は、第１記憶媒体の一例であり、国内の通信事業者により提供された国内用ＳＩＭカード２０２は、第２記憶媒体の一例である。国内用ＳＩＭカード２０２は、国内又は国外の任意の店舗もしくは自動販売機等で販売され、利用者は、連絡先等の情報を提供することなく、国内用ＳＩＭカード２０２を購入することができる。なお、本実施形態では、国内用ＳＩＭカード２０２は、国内のネットワークを介してデータ通信を行うために用いられるが、音声通信（通話）を行うために用いられてもよい。
【００２３】
図１に示す例では、まず、携帯端末２には、国外用ＳＩＭカード２０１が挿入されている。国外用ＳＩＭカード２０１が挿入された携帯端末２は、国内用ＳＩＭカード２０２が挿入された携帯端末２による国内のネットワークの使用許可を要求するための仮登録要求信号をサーバ３に送信する（１）。携帯端末２は、国際ローミングを利用して、国内の通信事業者が提供する国内のネットワークを介して仮登録要求信号を送信する。
【００２４】
仮登録要求信号には、国外用ＳＩＭカード２０１に割り当てられたＩＭＳＩが含まれる。ＩＭＳＩとは、ＧＳＭ（Global System for Mobile communications）方式又は携帯電話方式の携帯電話加入者に発行される、国際的な加入者識別番号である。ＩＭＳＩは、ＳＩＭカードごとに固有の番号であり、ＳＩＭカードに記憶される。国外用ＳＩＭカード２０１に割り当てられたＩＭＳＩは、第１識別情報の一例であり、国外のネットワーク及び国内のネットワークを使用するために使用される。
【００２５】
また、仮登録要求信号には、国内用ＳＩＭカード２０２の登録コードが含まれる。国内用ＳＩＭカード２０２の登録コードは、例えば国内用ＳＩＭカード２０２の製造番号、商品番号等である。国内用ＳＩＭカード２０２の登録コードは、国内用ＳＩＭカード２０２を購入したときに利用者に提供され、仮登録要求信号が送信される際に、利用者により携帯端末２に入力される。
【００２６】
サーバ３は、携帯端末２から仮登録要求信号を受信すると、受信した仮登録要求信号に含まれる国外用ＳＩＭカード２０１のＩＭＳＩと国内用ＳＩＭカード２０２の登録コードとを関連付けて記憶する（２）。これにより、サーバ３は、国内用ＳＩＭカード２０２が挿入された携帯端末２による国内のネットワークの使用を許可するための仮登録を行う。
【００２７】
次に、利用者により、携帯端末２から国外用ＳＩＭカード２０１が抜かれ、代わりに、携帯端末２に国内用ＳＩＭカード２０２が挿入される。国内用ＳＩＭカード２０２が挿入された携帯端末２は、国内用ＳＩＭカード２０２が挿入された携帯端末２による国内のネットワークの使用許可を要求するための登録要求信号をサーバ３に送信する（３）。携帯端末２は、国際ローミングを利用して、国内の通信事業者が提供する国内のネットワークを介して登録要求信号を送信する。
【００２８】
登録要求信号には、国内用ＳＩＭカード２０２に割り当てられたＩＭＳＩが含まれる。国内用ＳＩＭカード２０２に割り当てられたＩＭＳＩは、第２識別情報の一例であり、国内用ＳＩＭカード２０２に記憶され、国内のネットワークを使用するために使用される。また、登録要求信号には、国内用ＳＩＭカード２０２の登録コードが含まれる。
【００２９】
サーバ３は、携帯端末２から登録要求信号を受信すると、受信した登録要求信号に含まれる登録コードと仮登録した登録コードとが一致するか否かを判定する。一致した場合、サーバ３は、国内用ＳＩＭカード２０２が挿入された携帯端末２による国内のネットワークの使用を許可する（４）。
【００３０】
このように、サーバ３は、国際ローミングされている携帯端末２から、国外用ＳＩＭカード２０１に割り当てられたＩＭＳＩを取得することを条件に、国内用ＳＩＭカード２０２が挿入された携帯端末２による国内のネットワークの使用を許可する。これにより、通信システム１は、国外の利用者に、国内の通信事業者が営業する店舗に訪れさせることなく、利用者に関する情報を取得することができ、不測の事態が発生した場合に、利用者に連絡を取ることが可能となる。したがって、通信システム１は、国外の利用者の利便性を低減させることなく、国外の利用者に国内用ＳＩＭカード２０２を用いて国内のネットワークを使用させることが可能となる。これにより、通信システム１は、国外の利用者に、国内の通信事業者の料金設定に従った国際ローミングサービスを提供することが可能となる。
【００３１】
図２は、実施形態に従った通信システム１の概略構成の一例を示す図である。
【００３２】
通信システム１は、複数の携帯端末２、サーバ３及び自動音声応答装置４等を有する。
【００３３】
通信システム１では、基地局５が、特定の地域内をカバーする無線ゾーンを管理するように配置され、携帯電話のネットワーク６に含まれる不図示の無線ネットワーク制御装置を介して不図示の交換機に接続される。その特定の地域内の携帯端末２は、不図示のＨＬＲ（Home Location Register）又はＨＳＳ（Home Subscriber Server）に位置登録されていることを条件に、基地局５を介してネットワーク６に接続され、その地域内外の他の携帯端末、サーバ３及び自動音声応答装置４等と通信を行う。
【００３４】
自動音声応答装置４は、携帯端末２が、予め定められた特番に発呼した場合に着呼する装置であり、携帯端末２からの発呼に対して自動的に応答し、携帯端末２との間で、音声により所定の情報を送受信する。
【００３５】
図３は、携帯端末２の概略構成の一例を示す図である。
【００３６】
携帯端末２は、国外の通信事業者と加入契約している国外の利用者により使用され、主にその通信事業者が提供する国外のネットワーク（不図示）を介して通信可能な携帯電話である。その国外の通信事業者は、ネットワーク６を提供する国内の通信事業者とローミング提携しており、携帯端末２は、国内においてネットワーク６を介して通信可能である。
【００３７】
携帯端末２は、例えば携帯電話（いわゆる「フィーチャーフォン」）、多機能携帯電話（いわゆる「スマートフォン」）等である。携帯端末２は、ネットワーク６への接続、通話、所定のアプリケーションプログラムの実行等を可能とする。そのために、携帯端末２は、端末通信部２１と、操作部２２と、表示部２３と、装着部２４と、端末記憶部２５と、端末処理部２６とを備える。
【００３８】
端末通信部２１は、主に２．１ＧＨｚ帯を感受帯域とするアンテナを含む、通信インターフェース回路を有し、携帯端末２をネットワーク６に接続する。端末通信部２１は、基地局５により割り当てられるチャネルを介して、基地局５との間でＣＤＭＡ（Code Division Multiple Access）方式等による無線信号回線を確立し、基地局との間で通信を行う。なお、基地局との間の通信方式は、ＣＤＭＡ方式に限定されず、Ｗ−ＣＤＭＡ（Wideband Code Division Multiple Access）方式、ＬＴＥ（Long Term Evolution）方式等の他の通信方式でもよく、今後使用される通信方式でもよい。また、基地局５との間の通信方式は、ＰＨＳ（Personal Handy-phone System）等の他の通信方式でもよい。また、端末通信部２１の周波数帯域は、上記した周波数帯域に限定されない。端末通信部２１は、基地局５から受信したデータを端末処理部２６に供給し、端末処理部２６から供給されたデータを基地局５に送信する。
【００３９】
操作部２２は、携帯端末２の操作が可能であればどのようなデバイスでもよく、例えば、タッチパネル式の入力装置、キーパッド等である。利用者は、操作部２２を用いて、文字、数字等を入力することができる。操作部２２は、利用者により操作されると、その操作に対応する信号を発生する。発生した信号は、利用者の指示として、端末処理部２６に入力される。
【００４０】
表示部２３は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２３は、端末処理部２６から供給される動画像データに応じた動画像、静止画像データに応じた静止画像等を表示する。
【００４１】
装着部２４は、ＳＩＭカードを着脱可能に保持するカードスロット（ＳＩＭスロット）を備える。装着部２４には、利用者が加入契約している国外の通信事業者により提供された国外用ＳＩＭカード２０１と、その国外の通信事業者がローミング提携している国内の通信事業者により提供された国内用ＳＩＭカード２０２とが、差し替えて装着（挿入）され得る。端末処理部２６は、装着部２４に装着（挿入）されたＳＩＭカードに記憶された各種情報を読み出す。また、装着部２４が、二つ以上のカードスロットを有し、端末処理部２６による制御に従って、有効となるカードスロットが切り換えられてもよい。
【００４２】
端末記憶部２５は、例えば、半導体メモリを有する。端末記憶部２５は、端末処理部２６での処理に用いられるドライバプログラム、オペレーティングシステムプログラム、アプリケーションプログラム、データ等を記憶する。例えば、端末記憶部２５は、ドライバプログラムとして、端末通信部２１を制御する携帯電話通信デバイスドライバプログラム、操作部２２を制御する入力デバイスドライバプログラム、表示部２３を制御する出力デバイスドライバプログラム等を記憶する。また、端末記憶部２５は、オペレーティングシステムプログラムとして、携帯電話の接続制御プログラム等を記憶する。また、端末記憶部２５は、アプリケーションプログラムとして、ウェブページの取得及び表示を行うウェブブラウザプログラム、電子メールの送信及び受信を行う電子メールプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて端末記憶部２５にインストールされてもよい。
【００４３】
また、端末記憶部２５は、データとして、装着部２４に装着されたＳＩＭカードに記憶された各種情報の内、一部又は全部を記憶する。
【００４４】
端末処理部２６は、一又は複数個のプロセッサ及びその周辺回路を有する。端末処理部２６は、携帯端末２の全体的な動作を統括的に制御するものであり、例えば、ＣＰＵ（Central Processing Unit）である。端末処理部２６は、携帯端末２の各種処理が端末記憶部２５に記憶されているプログラム及び操作部２２の操作からの出力等に応じて適切な手順で実行されるように、端末通信部２１、表示部２３、装着部２４等の動作を制御する。端末処理部２６は、端末記憶部２５に記憶されているプログラム（ドライバプログラム、オペレーティングシステムプログラム、アプリケーションプログラム等）に基づいて処理を実行する。また、端末処理部２６は、複数のプログラム（アプリケーションプログラム等）を並列に実行することができる。
【００４５】
端末処理部２６は、第１送信部２６１と、第２送信部２６２とを有する。端末処理部２６が有するこれらの各部は、端末処理部２６が有するプロセッサ上で実行されるプログラムによって実装される機能モジュールである。あるいは、端末処理部２６が有するこれらの各部は、独立した集積回路、マイクロプロセッサ、又はファームウェアとして携帯端末２に実装されてもよい。
【００４６】
図４は、サーバ３の概略構成の一例を示す図である。
【００４７】
サーバ３は、携帯端末２の利用者が加入契約している国外の通信事業者がローミング提携している国内の通信事業者により提供されるサーバであり、ネットワーク６を介して携帯端末２と通信可能に接続される。
【００４８】
サーバ３は、ネットワーク６を提供する国内の通信事業者により提供された国内用ＳＩＭカード２０２が挿入された携帯端末２によるネットワーク６の使用を管理する。そのために、サーバ３は、サーバ通信部３１と、サーバ記憶部３２と、サーバ処理部３３とを備える。
【００４９】
サーバ通信部３１は、サーバ３をネットワーク６に接続するための通信インターフェース回路を有する。サーバ通信部３１は、携帯端末２から受信したデータをサーバ処理部３３に供給し、サーバ処理部３３から受信したデータをネットワーク６に送信する。
【００５０】
サーバ記憶部３２は、例えば、半導体メモリ、磁気ディスク装置、及び光ディスク装置の内の少なくとも一つを有する。サーバ記憶部３２は、サーバ処理部３３による処理に用いられるドライバプログラム、オペレーティングシステムプログラム、アプリケーションプログラム、データ等を記憶する。例えば、サーバ記憶部３２は、ドライバプログラムとして、サーバ通信部３１を制御する通信デバイスドライバプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部３２にインストールされてもよい。
【００５１】
また、サーバ記憶部３２は、データとして、国内用ＳＩＭカードの情報を管理するＳＩＭカードテーブルと、携帯端末２の状態を管理する状態管理テーブルとを記憶する。
【００５２】
図５（ａ）は、ＳＩＭカードテーブルのデータ構造の一例を示す図である。
【００５３】
図５（ａ）に示すように、ＳＩＭカードテーブルには、国外の通信事業者がローミング提携している国内の通信事業者が提供する国内用ＳＩＭカード２０２毎に、各国内用ＳＩＭカード２０２の登録コード、各国内用ＳＩＭカード２０２に割り当てられたＭＳＮ（Mobile Subscriber Number）及びＩＭＳＩ等が相互に関連付けて予め登録されている。ＭＳＮは、ＳＩＭカードに割り当てられた電話番号であり、国内用ＳＩＭカード２０２に割り当てられたＭＳＮは、国内のネットワーク６を使用するための電話番号である。
【００５４】
図５（ｂ）は、状態管理テーブルのデータ構造の一例を示す図である。
【００５５】
図５（ｂ）に示すように、状態管理テーブルには、携帯端末２毎に、携帯端末２に挿入される国外用ＳＩＭカード２０１に割り当てられたＭＳＮ及びＩＭＳＩ、携帯端末２に挿入される国内用ＳＩＭカード２０２の登録コード、国内用ＳＩＭカード２０２に割り当てられたＭＳＮ及びＩＭＳＩ、状態、仮登録時刻並びに登録時刻等が相互に関連付けて記憶される。
【００５６】
国外用ＳＩＭカード２０１に割り当てられたＭＳＮは、国外のネットワークを使用するための電話番号である。状態は、国内用ＳＩＭカード２０２が挿入された携帯端末２によるネットワーク６の使用を許可するための登録に関する状態である。状態には、未登録、仮登録、登録完了の三つの状態が含まれ、状態の初期値は、未登録である。仮登録時刻は、国内用ＳＩＭカード２０２が挿入された携帯端末２によるネットワーク６の使用を許可するための仮登録がなされた時刻である。登録時刻は、国内用ＳＩＭカード２０２が挿入された携帯端末２によるネットワーク６の使用を許可するための登録がなされた時刻であり、国内用ＳＩＭカード２０２が挿入された携帯端末２によるネットワーク６の使用が開始された時刻である。
【００５７】
図４に戻って、サーバ処理部３３は、一又は複数個のプロセッサ及びその周辺回路を有する。サーバ処理部３３は、サーバ３の全体的な動作を統括的に制御するものであり、例えば、ＣＰＵ（Central Processing Unit）である。サーバ処理部３３は、サーバ３の各種処理がサーバ記憶部３２に記憶されているプログラム等に応じて適切な手順で実行されるように、サーバ通信部３１等の動作を制御する。サーバ処理部３３は、サーバ記憶部３２に記憶されているプログラム（ドライバプログラム、オペレーティングシステムプログラム、アプリケーションプログラム等）に基づいて処理を実行する。また、サーバ処理部３３は、複数のプログラム（アプリケーションプログラム等）を並列に実行できる。
【００５８】
サーバ処理部３３は、第１受信部３３１と、仮登録部３３２と、第２受信部３３３と、登録部３３４とを有する。サーバ処理部３３が有するこれらの各部は、サーバ処理部３３が有するプロセッサ上で実行されるプログラムによって実装される機能モジュールである。あるいは、サーバ処理部３３が有するこれらの各部は、独立した集積回路、マイクロプロセッサ、又はファームウェアとしてサーバ３に実装されてもよい。
【００５９】
図６は、通信システム１による、携帯端末２がネットワーク６を使用するための使用許可処理に係る動作シーケンスの一例を示す。
【００６０】
以下に説明する動作シーケンスは、予め端末記憶部２５及びサーバ記憶部３２に記憶されているプログラムに基づいて、主に端末処理部２６及びサーバ処理部３３により、携帯端末２及びサーバ３の各要素と協働して実行される。また、以下に説明する動作シーケンスの開始時に、携帯端末２の装着部２４には、利用者が加入契約している国外の通信事業者により提供された国外用ＳＩＭカード２０１が挿入されているものとする。
【００６１】
最初に、携帯端末２の第１送信部２６１は、国外用ＳＩＭカード２０１が装着部２４に挿入された状態で、利用者による操作部２２を用いた操作に従って、自動音声応答装置４と通話するために予め定められた特番に発呼する（ステップＳ１０１）。この特番はネットワーク６でのみ使用可能に定められた電話番号であり、国外用ＳＩＭカード２０１が挿入された携帯端末２がネットワーク６にローミング接続していなければ、携帯端末２は自動音声応答装置４との間で通話することはできない。即ち、携帯端末２は、ネットワーク６にローミング接続していることを条件に自動音声応答装置４と通話する。
【００６２】
次に、自動音声応答装置４は、携帯端末２から着呼した場合、国内用ＳＩＭカード２０２の利用規約に対する同意を利用者に求めるための、音声による利用規約通知信号を携帯端末２に送信する（ステップＳ１０２）。なお、自動音声応答装置４は、携帯端末２の発信者番号通知設定がＯＮになっていることを条件に、利用規約通知信号を携帯端末２に送信してもよい。その場合、自動音声応答装置４は、発信者番号通知設定がＯＦＦになっているときは、国内用ＳＩＭカード２０２が挿入された携帯端末２によるネットワーク６の使用を許可せずに、使用許可処理を終了する。
【００６３】
次に、第１送信部２６１は、利用者により操作部２２を用いて、利用規約に同意する旨と、国内用ＳＩＭカード２０２の登録コードとが入力されるまで待機する。第１送信部２６１は、利用者により、利用規約に同意する旨と、国内用ＳＩＭカード２０２の登録コードとが入力されると、音声（プッシュトーン信号）による仮登録要求信号を端末通信部２１を介して自動音声応答装置４に送信する（ステップＳ１０３）。仮登録要求信号は、国内用ＳＩＭカード２０２が挿入された携帯端末２による国内のネットワーク６の使用許可を要求するための信号である。仮登録要求信号には、利用者により入力された利用規約に同意する旨と、国内用ＳＩＭカード２０２の登録コードとに加えて、国外用ＳＩＭカード２０１に割り当てられたＭＳＮ及びＩＭＳＩが含まれる。第１送信部２６１は、利用者により利用規約に同意する旨と、国内用ＳＩＭカード２０２の登録コードとが入力されると、自動的に国外用ＳＩＭカード２０１を読出し、国外用ＳＩＭカード２０１に割り当てられたＭＳＮ及びＩＭＳＩを仮登録要求信号に含ませる。
【００６４】
次に、自動音声応答装置４は、携帯端末２から音声（プッシュトーン信号）による仮登録要求信号を受信した場合、受信した仮登録要求信号に、利用規約に同意する旨が含まれているか否かを判定する。仮登録要求信号に、利用規約に同意する旨が含まれている場合、自動音声応答装置４は、受信した信号をテキストによる仮登録要求信号に変換し、サーバ３に転送する（ステップＳ１０４）。一方、仮登録要求信号に、利用規約に同意する旨が含まれていない場合、自動音声応答装置４は、国内用ＳＩＭカード２０２を挿入した携帯端末２によるネットワーク６の使用を許可せずに、使用許可処理を終了する。
【００６５】
次に、サーバ３の第１受信部３３１は、サーバ通信部３１を介して自動音声応答装置４から仮登録要求信号を受信する。即ち、第１受信部３３１は、自動音声応答装置４を介して、国外用ＳＩＭカード２０１が挿入された携帯端末２から仮登録要求信号を受信する。仮登録部３３２は、第１受信部３３１が受信した仮登録要求信号に基づいて、仮登録処理を実行する（ステップＳ１０５）。仮登録部３３２は、仮登録処理において、ＳＩＭカード２０２が挿入された携帯端末２によるネットワーク６の使用を許可するための仮登録を行う。なお、仮登録が行われた時点では、携帯端末２は、まだネットワーク６を使用することができず、ネットワーク６の使用に伴う課金は発生しない。仮登録処理の詳細については後述する。
【００６６】
次に、仮登録部３３２は、仮登録処理において仮登録を行った場合、仮登録を行った旨を通知するための仮登録通知信号をサーバ通信部３１を介して携帯端末２に送信する（ステップＳ１０６）。
【００６７】
次に、携帯端末２の第１送信部２６１は、端末通信部２１を介してサーバ３から仮登録通知信号を受信すると、仮登録が行われた旨を表示部２３に表示する。第２送信部２６２は、利用者により装着部２４から国外用ＳＩＭカード２０１が抜かれ、代わりに国内用ＳＩＭカード２０２が挿入され、さらに操作部２２を用いて国内用ＳＩＭカード２０２を使用するためのネットワーク設定が入力されるまで待機する（ステップＳ１０７）。ネットワーク設定は、携帯端末２が国内用ＳＩＭカード２０２を使用してネットワーク６へアクセスするためのアクセスポイント名（ＥＳＳＩＤ、Extended Service Set Identifier）、ユーザ名及びパスワード等の設定である。
【００６８】
次に、第２送信部２６２は、国内用ＳＩＭカード２０１が装着部２４に挿入された状態で、利用者によりネットワーク設定が入力されると、登録要求信号を端末通信部２１を介してサーバ３に送信する（ステップＳ１０８）。登録要求信号は、国内用ＳＩＭカード２０２が挿入された携帯端末２による国内のネットワーク６の使用許可を要求するための信号である。登録要求信号には、国内用ＳＩＭカード２０２の登録コードに加えて、国内用ＳＩＭカード２０２に割り当てられたＭＳＮ及びＩＭＳＩが含まれる。第２送信部２６２は、利用者により国内用ＳＩＭカード２０２が挿入され、ネットワーク設定が入力されると、自動的に国内用ＳＩＭカード２０２を読出し、国内用ＳＩＭカード２０２に割り当てられたＭＳＮ及びＩＭＳＩを登録要求信号に含ませる。
【００６９】
次に、サーバ３の第２受信部３３３は、サーバ通信部３１を介して携帯端末２から登録要求信号を受信する。即ち、第２受信部３３３は、国内用ＳＩＭカード２０２が挿入された携帯端末２から登録要求信号を受信する。登録部３３４は、第２受信部３３３が受信した登録要求信号に基づいて、登録処理を実行する（ステップＳ１０９）。登録部３３４は、登録処理において、国内用ＳＩＭカード２０２が挿入された国内用ＳＩＭカード２０２によるネットワーク６の使用を許可するための登録を行う。なお、登録が行わることにより、携帯端末２は、ネットワーク６を使用することが可能となり、以降、ネットワーク６の使用に伴う課金が発生する。登録処理の詳細については後述する。
【００７０】
次に、登録部３３４は、登録処理において登録を行った場合、登録を行った旨を通知するための登録通知信号をサーバ通信部３１を介して携帯端末２に送信する（ステップＳ１１０）。携帯端末２の第２送信部２６２は、端末通信部２１を介してサーバ３から登録通知信号を受信すると、登録が行われた旨を表示部２３に表示する。以上により、ネットワーク６の使用許可処理は終了する。
【００７１】
図７は、仮登録処理の動作の例を示すフローチャートである。
【００７２】
図７に示す動作のフローは、図６に示す動作シーケンスのステップＳ１０５において実行される。
【００７３】
最初に、仮登録部３３２は、第１受信部３３１が受信した仮登録要求信号から、国外用ＳＩＭカード２０１に割り当てられたＭＳＮ及びＩＭＳＩと、国内用ＳＩＭカード２０２の登録コードとを抽出する（ステップＳ２０１）。
【００７４】
次に、仮登録部３３２は、抽出した国内用ＳＩＭカード２０２の登録コードが適切であるか否かを判定する（ステップＳ２０２）。仮登録部３３２は、抽出した国内用ＳＩＭカード２０２の登録コードが、ＳＩＭカードテーブルに予め登録されているか否かにより、抽出した登録コードが適切であるか否かを判定する。
【００７５】
登録コードが適切である場合、仮登録部３３２は、状態管理テーブルにおいて、その登録コードが既に仮登録又は登録されているか否かを判定する（ステップＳ２０３）。仮登録部３３２は、状態管理テーブルにおいて、その登録コードが記憶され且つその登録コードの状態が仮登録又は登録完了であるか否かにより、登録コードが既に仮登録又は登録されているか否かを判定する。
【００７６】
登録コードが既に仮登録又は登録されている場合、仮登録部３３２は、特に処理を実行せずに、一連のステップを終了する。
【００７７】
一方、登録コードがまだ仮登録又は登録されていない場合、仮登録部３３２は、抽出した各情報を状態管理テーブルに記憶することにより国内用ＳＩＭカード２０２が挿入された携帯端末２によるネットワーク６の使用を許可するための仮登録を行い（ステップＳ２０４）、一連のステップを終了する。仮登録部３３２は、抽出したＭＳＮ、ＩＭＳＩ及び登録コードを関連付けて状態管理テーブルに記憶するとともに、記憶した各情報に関連付けられた状態として仮登録を記憶し、仮登録時刻として現在時刻を記憶する。
【００７８】
一方、ステップＳ２０２において、登録コードが適切でなかった場合、仮登録部３３２は、その国外用ＳＩＭカード２０１が挿入された携帯端末２から適切でない登録コードを含む仮登録要求信号が送信された回数が所定回数（例えば５回）以上であるか否かを判定する（ステップＳ２０５）。
【００７９】
適切でない登録コードを含む仮登録要求信号が送信された回数が所定回数未満である場合、仮登録部３３２は、特に処理を実行せずに、一連のステップを終了する。
【００８０】
一方、適切でない登録コードを含む仮登録要求信号が送信された回数が所定回数以上である場合、仮登録部３３２は、携帯端末２の利用者が悪意を有していると判定し、その携帯端末２による仮登録を制限するように設定し（ステップＳ２０６）、一連のステップを終了する。例えば、仮登録部３３２は、仮登録要求信号に含まれるＭＳＮ及びＩＭＳＩを用いた仮登録を、一定期間（例えば２４時間）又は所定時刻（例えば翌日の１２時）までの間、許可しないように設定する。
【００８１】
このように、仮登録部３３２は、第１受信部３３１が、国外用ＳＩＭカード２０１に割り当てられたＭＳＮ及びＩＭＳＩとともに、ＳＩＭカードテーブルに登録されていない登録コードを所定回数以上受信した場合、そのＭＳＮ及びＩＭＳＩを用いた以降の仮登録を制限する。これにより、仮登録部３３２は、悪意を有する利用者により、国内用ＳＩＭカード２０２が悪用されることを抑制することができる。
【００８２】
なお、ステップＳ２０５及びＳ２０６の処理は省略されてもよい。その場合、仮登録部３３２は、悪意を有さずに登録コードを誤って入力してしまった利用者による、再度の仮登録を許容することができる。
【００８３】
図８は、登録処理の動作の例を示すフローチャートである。
【００８４】
図８に示す動作のフローは、図６に示す動作シーケンスのステップＳ１０９において実行される。
【００８５】
最初に、登録部３３４は、第２受信部３３３が受信した登録要求信号から、国内用ＳＩＭカード２０２の登録コードと、国内用ＳＩＭカード２０２に割り当てられたＭＳＮ及びＩＭＳＩとを抽出する（ステップＳ３０１）。
【００８６】
次に、登録部３３４は、抽出した国内用ＳＩＭカード２０２の登録コードが仮登録されているか否かを判定する（ステップＳ３０２）。登録部３３４は、抽出した国内用ＳＩＭカード２０２の登録コードが、状態管理テーブルに記憶された登録コードと一致し且つその登録コードの状態が仮登録であるか否かにより、抽出した登録コードが仮登録されているか否かを判定する。
【００８７】
抽出した登録コードが仮登録されている場合、登録部３３４は、抽出したＭＳＮ及びＩＭＳＩが適切であるか否かを判定する（ステップＳ３０３）。登録部３３４は、抽出したＭＳＮ及びＩＭＳＩが、ＳＩＭカードテーブルにおいて、抽出した登録コードと関連付けて記憶されたＭＳＮ及びＩＭＳＩと一致するか否かにより、抽出したＭＳＮ及びＩＭＳＩが適切であるか否かを判定する。
【００８８】
ＭＳＮ及びＩＭＳＩが適切である場合、登録部３３４は、国内用ＳＩＭカード２０２が挿入された携帯端末２によるネットワーク６の使用を許可するための登録を行い（ステップＳ３０４）、一連のステップを終了する。登録部３３４は、状態管理テーブルにおいて、抽出した登録コードと一致する登録コードに関連付けて、抽出したＭＳＮ及びＩＭＳＩを記憶するとともに、その登録コードに関連付けられた状態として登録を記憶し、登録時刻として現在時刻を記憶する。
【００８９】
一方、登録コードが仮登録されていない場合、又は、ＭＳＮ及びＩＭＳＩが適切でない場合、登録部３３４は、国内用ＳＩＭカード２０２が挿入された携帯端末２から、仮登録されていない登録コード又は適切でないＭＳＮ及びＩＭＳＩを含む登録要求信号が送信された回数が第２所定回数（例えば５回）以上であるか否かを判定する（ステップＳ３０５）。
【００９０】
仮登録されていない登録コード又は適切でないＭＳＮ及びＩＭＳＩを含む登録要求信号が送信された回数が第２所定回数未満である場合、登録部３３４は、特に処理を実行せずに、一連のステップを終了する。
【００９１】
一方、仮登録されていない登録コード又は適切でないＭＳＮ及びＩＭＳＩを含む登録要求信号が送信された回数が第２所定回数以上である場合、登録部３３４は、携帯端末２の利用者が悪意を有していると判定し、状態管理テーブルから、対応する仮登録された情報を削除する（ステップＳ３０６）。
【００９２】
次に、登録部３３４は、その携帯端末２による登録を制限するように設定し（ステップＳ３０７）、一連のステップを終了する。例えば、登録部３３４は、登録要求信号に含まれるＭＳＮ及びＩＭＳＩを用いた仮登録及び登録を、一定期間（例えば２４時間）又は所定時刻（例えば翌日の１２時）までの間、許可しないように設定する。
【００９３】
このように、登録部３３４は、第２受信部３３３が、国内用ＳＩＭカード２０２の登録コードとともに、その登録コードと関連付けてＳＩＭカードテーブルに登録されていないＭＳＮ及びＩＭＳＩを第２所定回数以上受信した場合、そのＭＳＮ及びＩＭＳＩを用いた以降の登録を制限する。これにより、登録部３３４は、悪意を有する利用者により、国内用ＳＩＭカード２０２が悪用されることを抑制することができる。
【００９４】
なお、ステップＳ３０５〜Ｓ３０７の処理は省略されてもよい。その場合、登録部３３４は、悪意を有さずに登録コードを誤って入力してしまった利用者による再度の登録、又は、他の利用者によって自分用の登録コードを誤って入力されてしまった利用者による登録を許容することができる。
【００９５】
また、仮登録部３３２は、仮登録を行ってから所定時間（例えば２４時間）以内に、第２受信部３３３が、仮登録された登録コードと一致する登録コードを含む登録要求信号を受信しなかった場合、仮登録を無効にしてもよい。仮登録部３３２は、状態管理テーブルを定期的に読み出し、状態が仮登録のまま仮登録時刻から所定時間が経過している登録コードが存在するか否かを判定する。仮登録部３３２は、状態が仮登録のまま仮登録時刻から所定時間が経過している登録コードが存在する場合、状態管理テーブルにおいて、その登録コードの状態を未登録に変更する。
【００９６】
これにより、仮登録部３３２は、登録コードが仮登録されたまま放置されることを防止し、国内用ＳＩＭカード２０２が他の利用者により誤って登録されることを抑制することができる。
【００９７】
また、仮登録部３３２は、仮登録を行ってから所定時間以内に、第２受信部３３３が、仮登録された登録コードと一致する登録コードを含む登録要求信号を受信しなかった場合、状態管理テーブルから仮登録された各情報を削除してもよい。仮登録部３３２は、状態が仮登録のまま仮登録時刻から所定時間が経過している登録コードが存在する場合、状態管理テーブルから、その登録コードに関連付けられた各情報を削除する。
【００９８】
これにより、仮登録部３３２は、利用者に関する情報を適切に削除することができ、利用者に関する情報が漏洩してしまうことを抑制することができる。
【００９９】
以上説明してきたように、サーバ３は、国際ローミングされている携帯端末２から、国外用ＳＩＭカード２０１に割り当てられたＩＭＳＩを取得することを条件に、国内用ＳＩＭカード２０２が挿入された携帯端末２による国内のネットワーク６の使用を許可する。これにより、通信システム１は、国外の利用者に、国内の通信事業者が営業する店舗に訪れさせることなく、利用者に関する情報を取得することができ、不測の事態が発生した場合に、利用者に連絡を取ることが可能となる。したがって、通信システム１は、国外の利用者の利便性を低減させることなく、国外の利用者に国内用ＳＩＭカード２０２を用いて国内のネットワークを使用させることが可能となる。これにより、通信システム１は、国外の利用者に、国内の通信事業者の料金設定に従った国際ローミングサービスを提供することが可能となる。
【０１００】
国内の通信事業者は、国内用ＳＩＭカード２０２に割り当てる通信量の上限等を設定することにより、利用者に請求する課金額の上限を設定することができる。さらに、国内の通信事業者は、国内用ＳＩＭカード２０２をプリペイド方式で提供することもできる。このように、通信システム１は、国内の通信事業者の料金設定に従った国際ローミングサービスを提供することにより、利用者のニーズに応じた柔軟なサービスを提供することが可能になる。
【０１０１】
また、サーバ３は、携帯端末２から、利用者が加入契約している国外の通信事業者により割り当てられているＭＳＮ及びＩＭＳＩ等の識別情報のみを取得し、他の個人情報を取得しない。したがって、サーバ３は、携帯端末２の利用者の個人情報等が漏洩してしまうことを防止することができる。
【０１０２】
なお、本実施形態では、サーバ３が、国内用ＳＩＭカード２０２の登録コードと関連付けて、国内用ＳＩＭカード２０２及び国外用ＳＩＭカード２０１のそれぞれに割り当てられたＭＳＮ及びＩＭＳＩを記憶しておく例について説明した。ＭＳＮ及びＩＭＳＩの両方を記憶しておくことにより利用者の連絡先をより容易に特定できるが、ＩＭＳＩのみを記憶していれば利用者の連絡先を特定できるため、ＭＳＮについては記憶しなくてもよい。
【０１０３】
当業者は、本発明の精神及び範囲から外れることなく、様々な変更、置換及び修正をこれに加えることが可能であることを理解されたい。
【符号の説明】
【０１０４】
１    通信システム
２    携帯端末
２４    装着部
２６１    第１送信部
２６２    第２送信部
３    サーバ
３１    サーバ通信部
３２    サーバ記憶部
３３１    第１受信部
３３２    仮登録部
３３３    第２受信部
３３４    登録部
【図１】
0006461045.tif 000002
【図２】
0006461045.tif 000003
【図３】
0006461045.tif 000004
【図４】
0006461045.tif 000005
【図５】
0006461045.tif 000006
【図６】
0006461045.tif 000007
【図７】
0006461045.tif 000008
【図８】
0006461045.tif 000009